(57)【要約】【課題】より生活空間臭気に近い物質を提供する。【解決手段】空間模擬臭組成物は、主成分であるアセトアルデヒドと、アセトアルデヒドと異なる臭成分と、を含有する。臭成分は、トリメチルアミン、硫化水素、メチルメルカプタン、イソ吉草酸およびｎ−吉草酸と、を含有してもよい。また、アセトアルデヒドを３±０．１５ｐｐｂ、トリメチルアミンを０．８４±０．０４２ｐｐｂ、硫化水素を０．６３±０．０３１５ｐｐｂ、メチルメルカプタンを０．０８±０．００４ｐｐｂ、イソ吉草酸を１．１±０．０５５ｐｐｂ、ｎ−吉草酸を０．０９±０．００４５ｐｐｂ含んでもよい。【選択図】図１
2015163852.tif 000002
【特許請求の範囲】
【請求項１】
主成分であるアセトアルデヒドと、
前記アセトアルデヒドと異なる臭成分と、
を含有する空間模擬臭組成物。
【請求項２】
前記臭成分は、トリメチルアミン、硫化水素、メチルメルカプタン、イソ吉草酸およびｎ−吉草酸と、を含有し、
前記アセトアルデヒドを３±０．１５ｐｐｂ、
前記トリメチルアミンを０．８４±０．０４２ｐｐｂ、
前記硫化水素を０．６３±０．０３１５ｐｐｂ、
前記メチルメルカプタンを０．０８±０．００４ｐｐｂ、
前記イソ吉草酸を１．１±０．０５５ｐｐｂ、
前記ｎ−吉草酸を０．０９±０．００４５ｐｐｂ、
含むことを特徴とする請求項１に記載の空間模擬臭組成物。
【請求項３】
前記臭成分は、酢酸、イソ吉草酸およびｎ−吉草酸を含有し、
前記アセトアルデヒドを３５±１．７５ｐｐｂ、
前記酢酸を７．４±０．３７ｐｐｂ、
前記イソ吉草酸を０．２±０．０１ｐｐｂ、
前記ｎ−吉草酸を０．２±０．０１ｐｐｂ、
含むことを特徴とする請求項１に記載の空間模擬臭組成物。
【請求項４】
前記臭成分は、硫化水素、メチルメルカプタン、イソ吉草酸およびｎ−吉草酸を含有し、
前記アセトアルデヒドを２５．３±１．２６５ｐｐｂ、
前記硫化水素を１．３２±０．０６６ｐｐｂ、
前記メチルメルカプタンを０．３２±０．０１６ｐｐｂ、
前記イソ吉草酸を０．３４４±０．０１７２ｐｐｂ、
前記ｎ−吉草酸を０．６９８±０．０３４９ｐｐｂ、
含むことを特徴とする請求項１に記載の空間模擬臭組成物。
【請求項５】
前記臭成分は、ヘキサナール、オクタナール、ノナナールおよびノネナールを含有し、  前記アセトアルデヒドを８５±４．２５ｐｐｂ、
ヘキサナールを１±０．０５ｐｐｂ、
オクタナールを１．８±０．０９ｐｐｂ、
ノナナールを３．４±０．１７ｐｐｂ、
ノネナールを３．８±０．１９ｐｐｂ、
含むことを特徴とする請求項１に記載の空間模擬臭組成物。
【請求項６】
前記臭成分は、アミン、硫化物、脂肪酸および飽和アルデヒドからなる群から選択される少なくとも一つの化合物を含有することを特徴とする請求項１に記載の空間模擬臭組成物。
【請求項７】
前記臭成分は、トリメチルアミン、硫化水素、メチルメルカプタン、酢酸、イソ吉草酸、ｎ−吉草酸、ヘキサナール、オクタナール、ノナナールおよびノネナールからなる群から選択される少なくとも一つの化合物を含有することを特徴とする請求項１に記載の空間模擬臭組成物。
【請求項８】
請求項１乃至７のいずれか１項に記載の空間模擬臭組成物を用いて、製品の脱臭性能を評価する評価方法。
【発明の詳細な説明】
【技術分野】
【０００１】
本発明は、空間模擬臭組成物に関する。
【背景技術】
【０００２】
従来、炭素数７〜９の飽和脂肪酸から選ばれる少なくとも１種を含有する高齢者居室染み付き臭指標物質と、それを用いた消臭効果の評価方法が考案されている（例えば、特許文献１参照）。
【先行技術文献】
【特許文献】
【０００３】
【特許文献１】特開２０１２−４２２９３号公報
【発明の概要】
【発明が解決しようとする課題】
【０００４】
上述の臭指標物質は、臭気発生源に由来する成分を想定したものである。しかしながら、実際に生活空間において脱臭を行う対象は、臭気発生源に起因する臭気だけでなく、臭気発生源が存在する空間内の物に起因する臭気が混合した複合臭気となる。つまり、臭気発生源の臭気以外に、生活空間の建材、家具、生活用品等から拡散する臭気も考慮しないと、生活空間臭気として正確ではない。
【０００５】
本発明は、このような状況に鑑みてなされたものであり、その目的は、より生活空間臭気に類似した物質を提供することにある。
【課題を解決するための手段】
【０００６】
上記課題を解決するために、本発明のある態様の空間模擬臭組成物は、主成分であるアセトアルデヒドと、アセトアルデヒドと異なる臭成分と、を含有する。
【０００７】
この態様によると、空間模擬臭組成物は、例えば、生活空間の建材、家具、生活用品等から拡散するアセトアルデヒドを主成分として含んでいる。そのため、この空間模擬臭組成物を用いることで、生活空間における消臭・脱臭効果の検証をより正確に行える。
【０００８】
臭成分は、トリメチルアミン、硫化水素、メチルメルカプタン、イソ吉草酸およびｎ−吉草酸と、を含有してもよい。また、アセトアルデヒドを３±０．１５ｐｐｂ、トリメチルアミンを０．８４±０．０４２ｐｐｂ、硫化水素を０．６３±０．０３１５ｐｐｂ、メチルメルカプタンを０．０８±０．００４ｐｐｂ、イソ吉草酸を１．１±０．０５５ｐｐｂ、ｎ−吉草酸を０．０９±０．００４５ｐｐｂ含んでもよい。これにより、ペット臭と空間臭との混合臭気に類似した空間模擬臭組成物を容易に再現でき、この空間模擬臭組成物を用いることでペット臭がある生活空間における消臭・脱臭効果の検証をより正確に行える。
【０００９】
臭成分は、酢酸、イソ吉草酸およびｎ−吉草酸を含有してもよい。また、アセトアルデヒドを３５±１．７５ｐｐｂ、酢酸を７．４±０．３７ｐｐｂ、イソ吉草酸を０．２±０．０１ｐｐｂ、ｎ−吉草酸を０．２±０．０１ｐｐｂ含んでもよい。これにより、玄関臭と空間臭との混合臭気に類似した空間模擬臭組成物を容易に再現でき、この空間模擬臭組成物を用いることで玄関臭がある生活空間における消臭・脱臭効果の検証をより正確に行える。
【００１０】
臭成分は、硫化水素、メチルメルカプタン、イソ吉草酸およびｎ−吉草酸を含有してもよい。アセトアルデヒドを２５．３±１．２６５ｐｐｂ、硫化水素を１．３２±０．０６６ｐｐｂ、メチルメルカプタンを０．３２±０．０１６ｐｐｂ、イソ吉草酸を０．３４４±０．０１７２ｐｐｂ、ｎ−吉草酸を０．６９８±０．０３４９ｐｐｂ含んでもよい。これにより、介護臭と空間臭との混合臭気に類似した空間模擬臭組成物を容易に再現でき、この空間模擬臭組成物を用いることで介護臭がある生活空間における消臭・脱臭効果の検証をより正確に行える。
【００１１】
臭成分は、ヘキサナール、オクタナール、ノナナールおよびノネナールを含有してもよい。アセトアルデヒドを８５±４．２５ｐｐｂ、ヘキサナールを１±０．０５ｐｐｂ、オクタナールを１．８±０．０９ｐｐｂ、ノナナールを３．４±０．１７ｐｐｂ、ノネナールを３．８±０．１９ｐｐｂ含んでもよい。これにより、体臭と空間臭との混合臭気に類似した空間模擬臭組成物を容易に再現でき、この空間模擬臭組成物を用いることで体臭がある生活空間における消臭・脱臭効果の検証をより正確に行える。
【００１２】
臭成分は、アミン、硫化物、脂肪酸および飽和アルデヒドからなる群から選択される少なくとも一つの化合物を含有してもよい。
【００１３】
臭成分は、トリメチルアミン、硫化水素、メチルメルカプタン、酢酸、イソ吉草酸、ｎ−吉草酸、ヘキサナール、オクタナール、ノナナールおよびノネナールからなる群から選択される少なくとも一つの化合物を含有してもよい。
【００１４】
本発明の他の態様は、評価方法である。この方法は、上述の空間模擬臭組成物を用いて、製品の脱臭性能を評価する。これにより、生活空間における消臭・脱臭効果のより正確な検証が再現性よく簡便に行える。
【発明の効果】
【００１５】
本発明によれば、より生活空間臭気に類似した物質を提供することができる。
【図面の簡単な説明】
【００１６】
【図１】嗅覚臭気質評価に用いるアンケートを説明するための図である。
【図２】臭気強度を求める際に利用した被験者アンケートの項目と尺度を示した図である。
【図３】試験体がないにおい袋、試験体１を入れたにおい袋、試験体２を入れたにおい袋に、各種不快臭を模した空間模擬臭組成物を封入した場合の脱臭効果を示す図である。
【発明を実施するための形態】
【００１７】
調湿建材は、室内湿度の調節機能を有する他、その吸着特性により揮発性有機化合物（ＶＯＣ）や臭気の低減効果が認められるものが存在する。調湿建材としては、例えば、多孔質セラミックを用いたものが挙げられる。また、脱臭低減効果のある空気清浄機も存在する。このような調湿建材や空気清浄機の臭気低減（脱臭）性能を評価するためには、臭気低減対象となる臭気が発生する実際の環境で、性能評価対象となる建材や空気清浄機を用いて行うことが通常である。
【００１８】
しかしながら、実際の環境は様々であり、同一の環境を再現することは容易ではないため、より簡便な方法が求められている。そこで、本発明者らは、実際の臭気に似せて調合した模擬臭を用いて建材や空気清浄機の性能を評価する方法について種々検討している。その過程で、臭気低減性能の評価は、一般的に不快と感じる臭気発生源からの臭気（例えば、トイレ臭、玄関臭等）成分のみを考慮した模擬臭を用いるだけでは十分でない点に想到した。
【００１９】
特に、調湿建材や空気清浄機のような室内空間に配設される製品では、臭気発生源が発する不快臭（悪臭）そのものに対する低減性能に加えて、生活（室内）空間にある様々な物が発する臭と不快臭との複合臭に対する低減性能が重要である。そこで、本発明者らはこのような複合臭に類似する模擬臭の調合について鋭意検討し、以下に説明する空間模擬臭組成物の調合に想到した。
【００２０】
本実施の形態に係る空間模擬臭組成物は、アセトアルデヒドを主成分としている。一般的な不快臭に含まれないアセトアルデヒドを主成分としたのは、生活空間の建材、家具、生活用品からアセトアルデヒドが放出されることを考慮したからである。そして、アセトアルデヒドと、アセトアルデヒドと異なる臭成分とを含有した空間模擬臭組成物を調合した。
【００２１】
アセトアルデヒドと異なる臭成分としては、玄関臭、介護臭、ペット臭、体臭等の不快臭を分析し、各成分を調合したものが用いられる。具体的には、実現場で採取した各種不快臭の臭気成分を分析した。分析にはガスクロマトグラフ（ＧＣ−１４Ｂ  （株）島津製作所）を用いた。そして、この分析結果に基づいて模擬臭を調合した。
【００２２】
例えば、玄関臭を想定した下駄箱から捕集した臭気の成分分析では、アセトアルデヒドと酢酸が閾希釈倍数が１以上で検出された。そこで、アセトアルデヒドや酢酸に加え、イソ吉草酸やｎ−吉草酸を調合して空間模擬臭組成物を作製した。この空間模擬臭組成物は玄関臭を想定している。調合における各成分の濃度を表１に示す。同様に、介護臭、ペット臭、体臭についても実現場で採取し、採取した臭気の成分分析の結果に基づいて空間模擬臭組成物を調合した。なお、表１に示す閾値とは、人がにおいを感知できる最小濃度を示す臭覚閾値をいう。
【００２３】
このような模擬臭の作製は、作業による誤差等を考慮して、先に模擬臭の１０００倍の濃度の混合臭気を作製し、この段階で各成分の濃度を個別に検知管で確認し基準模擬臭を得た。その後、基準模擬臭を無臭空気にて１０００倍に希釈し、所望の空間模擬臭組成物を得た。
【００２４】
【表１】
2015163852.tif 000003
【００２５】
表１に示す玄関臭を含む空間模擬臭組成物は、臭成分として、アセトアルデヒドを３５ｐｐｂ、酢酸を７．４ｐｐｂ、イソ吉草酸を０．２ｐｐｂ、ｎ−吉草酸を０．２ｐｐｂ含んでいる。これにより、玄関臭と空間臭との混合臭気に類似した空間模擬臭組成物を容易に再現でき、この空間模擬臭組成物を用いることで玄関臭がある生活空間における消臭・脱臭効果の検証をより正確に行える。
【００２６】
また、表１に示す介護臭を含む空間模擬臭組成物は、臭成分として、アセトアルデヒドを２５．３ｐｐｂ、硫化水素を１．３２ｐｐｂ、メチルメルカプタンを０．３２ｐｐｂ、イソ吉草酸を０．３４４ｐｐｂ、ｎ−吉草酸を０．６９８ｐｐｂ含んでいる。これにより、介護臭と空間臭との混合臭気に類似した空間模擬臭組成物を容易に再現でき、この空間模擬臭組成物を用いることで介護臭がある生活空間における消臭・脱臭効果の検証をより正確に行える。
【００２７】
また、表１に示すペット臭を含む空間模擬臭組成物は、臭成分として、アセトアルデヒドを３ｐｐｂ、トリメチルアミンを０．８４ｐｐｂ、硫化水素を０．６３ｐｐｂ、メチルメルカプタンを０．０８ｐｐｂ、イソ吉草酸を１．１ｐｐｂ、ｎ−吉草酸を０．０９ｐｐｂ含んでいる。これにより、ペット臭と空間臭との混合臭気に類似した空間模擬臭組成物を容易に再現でき、この空間模擬臭組成物を用いることでペット臭がある生活空間における消臭・脱臭効果の検証をより正確に行える。
【００２８】
また、表１に示す体臭を含む空間模擬臭組成物は、臭成分として、アセトアルデヒドを８５ｐｐｂ、ヘキサナールを１ｐｐｂ、オクタナールを１．８ｐｐｂ、ノナナールを３．４ｐｐｂ、ノネナールを３．８ｐｐｂ含んでいる。これにより、体臭と空間臭との混合臭気に類似した空間模擬臭組成物を容易に再現でき、この空間模擬臭組成物を用いることで体臭がある生活空間における消臭・脱臭効果の検証をより正確に行える。
【００２９】
（空間模擬臭組成物の類似性）
次に、この空間模擬臭組成物が実現場で捕集した不快臭に対してどの程度類似しているかを評価した。評価方法としては、１８項目、７段階評価のアンケートに基づく嗅覚臭気質評価により、対比する臭気の類似性を定量化した。
【００３０】
図１は、嗅覚臭気質評価に用いるアンケートを説明するための図である。図１に示すように、比較対象となる臭気について、１８の感覚的臭気質の項目ごとに７段階のいずれに該当するか選択し、その結果から下記式（１）に基づいて類似性を算出する。
【００３１】
【数１】
2015163852.tif 000004
【００３２】
式（１）に示すＳ（Ａ，Ｂ）は、現場で捕集した臭気Ａと、臭気Ａの成分分析に基づいて作製した空間模擬臭組成物Ｂとの類似性を示すものであり、１に近いほど類似性が高いことを示している。例えば、臭気Ａについて表１に示す項目１が４、項目２が５、項目３が４、項目４が７、項目５が２、・・・、項目ｎがｍ（ｍは１〜７の整数）、・・・項目１８が５であるとし、空間模擬臭組成物Ｂは、項目１が５、項目２が５、項目３が５、項目４が７、項目５が３、・・・、項目ｎがｍ’（ｍ’は１〜７の整数）、・・・項目１８が５であるとすると、下記式（２）と表せる。
【００３３】
【数２】
2015163852.tif 000005
【００３４】
そして、このような評価を、表１に示した玄関臭、介護臭、ペット臭、体臭を模した空間模擬臭組成物のそれぞれについて行った。その際、空間模擬臭組成物にアセトアルデヒドを含ませた場合と除いた場合とで比較した。
【００３５】
【表２】
2015163852.tif 000006
【００３６】
表２に示すように、いずれの複合臭においても、空間模擬臭組成物にアセトアルデヒドを含ませると、含ませない場合と比較して類似率が１に近付くことがわかる。つまり、生活空間に含まれるアセトアルデヒドを主成分とする本実施の形態に係る空間模擬臭組成物は、生活（室内）空間にある様々な物が発する臭と不快臭との複合臭に非常に類似した模擬臭として十分実用的なものであることが明らかとなった。そのため、後述する建材や空気清浄機の臭気低減性能の評価の際に、この空間模擬臭組成物を用いることで、生活空間における消臭・脱臭効果の検証をより正確に行える。
【００３７】
（空間模擬臭組成物を用いた建材の脱臭評価）
次に、本実施の形態に係る空間模擬臭組成物を用いて、脱臭用建材の臭気低減効果の評価を行った。脱臭用建材として用いられる多孔質セラミックからなる試験体１、試験体２を用意した。試験体１および試験体２は、９０×９０ｍｍの正方形であり、いずれも１〜１０ｎｍの細孔を多く有している。また、試験体１の比表面積は約４３（ｍ２／ｇ）、試験体２の比表面積は約５５（ｍ２／ｇ）である。
【００３８】
試験体を、容積２７Ｌのにおい袋に入れヒートシールを施した後、前述の空間模擬臭組成物を封入し、室温下で２時間放置する。なお、試験体は予め湿度６５％で恒量化脱臭しておく。また、臭気を三点比較式臭袋法による臭覚測定にて臭気指数を測定する。臭気強度は、予め求めた臭気指数との相関値で表示する。図２は、臭気強度を求める際に利用した被験者アンケートの項目と尺度を示した図である。
【００３９】
図３は、試験体がないにおい袋、試験体１を入れたにおい袋、試験体２を入れたにおい袋に、各種不快臭を模した空間模擬臭組成物を封入した場合の脱臭効果を示す図である。各場合の臭気指数を表３に示す。
【００４０】
【表３】
2015163852.tif 000007
【００４１】
図３、表３に示すように、多孔質セラミックからなる試験体１や試験体２は、いずれの不快臭（玄関臭、介護臭、ペット臭、体臭）を模した空間模擬臭組成物に対しても、臭気指数および臭気強度の低下が認められた。これは、実現場で採取した臭気を用いた脱臭効果の評価と同様の傾向である。このように、上述の空間模擬臭組成物を用いて、製品の脱臭性能を評価することで、生活空間における消臭・脱臭効果のより正確な検証が再現性よく簡便に行える。
【００４２】
なお、空間模擬臭組成物の各臭成分に含まれる化合物の濃度は、表１に例示される所望の値±５％程度の範囲であればよい。好ましくは、表１に例示される所望の値±３％程度の範囲であり、より好ましくは、表１に例示される所望の値±１％程度である。
【００４３】
また、臭成分としてのアミンは、上述のトリメチルアミン以外に、ピリジン、アンモニア等が挙げられる。また、臭成分としての硫化物は、上述の硫化水素やメチルメルカプタン以外に、硫化メチル、二硫化メチル、プロパンチオール等が挙げられる。また、臭成分としての脂肪酸は、上述の酢酸、イソ吉草酸、ｎ−吉草酸以外に、プロピオン酸、ｎ−酪酸、イソ酪酸、カプロン酸等が挙げられる。
【産業上の利用可能性】
【００４４】
建材や空気清浄機・脱臭剤・消臭剤などの臭気を低減する製品の性能評価方法に利用できる。
【図１】
2015163852.tif 000008
【図２】
2015163852.tif 000009
【図３】
2015163852.tif 000010